(57)【要約】【課題】グレンタンクの強度を維持しつつ、メンテナンス性を向上させたコンバインを提供する。【解決手段】コンバイン１は、脱穀装置と、グレンタンク５０と、第１サイドカバー５４と、を備える。グレンタンク５０は、脱穀装置で穀稈から分離された穀粒を貯留する。グレンタンク５０は、機体左右一側を開放させる。第１サイドカバー５４は、グレンタンク５０の開放部分の一部を覆うとともに、取外し可能に構成されている。コンバイン１は、第１サイドカバー５４を取り外すことで形成される開口の縁部に配置される補強部材５６を備える。補強部材５６の一端は、グレンタンク５０の前面（前面板９１）の上下方向における中央より下の部位に連結される。補強部材５６の他端は、グレンタンク５０の背面（背面板９２）の上下方向における中央の部位に連結される。【選択図】図２
2016067221.tif 000002
【特許請求の範囲】
【請求項１】
穀稈から穀粒を分離する脱穀部と、
前記脱穀部で分離された穀粒を貯留する、機体左右一側を開放させた構成のグレンタンクと、
前記グレンタンクの開放部分の一部を覆う、取外し可能なサイドカバーと、
を備え、
前記サイドカバーを取り外すことで形成される開口の縁部に配置される補強部材を備え、
前記補強部材の一端は、前記グレンタンクの前面の上下方向における中央又は中央より下の部位に連結され、
前記補強部材の他端は、前記グレンタンクの背面の上下方向における中央又は中央より下の部位に連結されることを特徴とするコンバイン。
【請求項２】
請求項１に記載のコンバインであって、
前記グレンタンクの前面には屈曲部が形成され、
前記グレンタンクの前面は、前記屈曲部を境にして、当該屈曲部より上側の部分が前方に張り出すように形成されており、
前記補強部材の一端は、前記屈曲部に連結されることを特徴とするコンバイン。
【請求項３】
請求項１又は２に記載のコンバインであって、
前記補強部材は、一端と他端とで高さが異なるように配置されていることを特徴とするコンバイン。
【請求項４】
請求項１から３までの何れか一項に記載のコンバインであって、
前記補強部材は、前記グレンタンクの開放部分を上下方向に分割するように構成され、
前記サイドカバーは、前記補強部材で分割された開放部分を覆うように構成され、
前記サイドカバーで覆われない前記開放部分を覆うカバー部材を備えることを特徴とするコンバイン。
【請求項５】
請求項４に記載のコンバインであって、
前記グレンタンクに穀粒を投入する投入口は、前記サイドカバーの下縁より高い位置に配置されることを特徴とするコンバイン。
【請求項６】
請求項１から５までの何れか一項に記載のコンバインであって、
前記グレンタンクの前面に屈曲部が形成され、
前記グレンタンクの背面に第２屈曲部が形成され、
前記補強部材の一端は、前記屈曲部に連結され、
前記補強部材の他端は、前記第２屈曲部に連結されることを特徴とするコンバイン。
【発明の詳細な説明】
【技術分野】
【０００１】
本発明は、グレンタンクを備えたコンバインに関する。
【背景技術】
【０００２】
コンバインは、刈取部と、脱穀部と、を備えており、稲や麦などの穀稈を刈取部で刈り取りながら、脱穀部で穀稈から穀粒を分離することができる。また、コンバインは、分離した穀粒を貯留するためのグレンタンクを備えており、これにより、穀稈の刈取作業を中断することなく連続で行うことができる。
【０００３】
この種のコンバインは、例えば特許文献１に開示されている。特許文献１のコンバインにおいて、脱穀装置から搬出され揚穀装置により搬送された穀粒は、揚穀装置の吐出口から、グレンタンクの横側壁に形成された開口を通してグレンタンク内に搬送するように構成されている。グレンタンクは、清掃や点検を容易にするために、作業位置と、メンテナンス位置と、にわたって左右に揺動変位することで位置変更自在に構成されている。
【先行技術文献】
【特許文献】
【０００４】
【特許文献１】特開２０１２−２００２２１号公報
【発明の概要】
【発明が解決しようとする課題】
【０００５】
特許文献１に示すように、グレンタンクを備えた一般的なコンバインは、穀粒の投入口をグレンタンクの側部の高い位置に配置している。これにより、グレンタンクにより多くの穀粒を溜めることができる。
【０００６】
しかし、特許文献１のコンバインでは、穀粒の投入口がグレンタンクの側部の高い位置にあるため、投入された穀粒はグレンタンクの側面の内壁に衝突し、長期間の使用に伴ってグレンタンクの側面が損耗することがあった。
【０００７】
一般的に、グレンタンクには、内部に貯留される穀粒の圧力に耐えることのできる強度が必要である。ここで、グレンタンクの強度を高めるために例えば一体溶接構造を採用する場合、上記のような損耗が生じた場合はグレンタンクの全体を交換しなければならず、コストの増大を招くことになる。
【０００８】
本発明は以上の事情に鑑みてされたものであり、その目的は、グレンタンクの強度を維持しつつメンテナンス性を向上させたコンバインを提供することにある。
【課題を解決するための手段及び効果】
【０００９】
本発明の解決しようとする課題は以上の如くであり、次にこの課題を解決するための手段とその効果を説明する。
【００１０】
本発明の観点によれば、以下の構成のコンバインが提供される。即ち、このコンバインは、脱穀部と、グレンタンクと、サイドカバーと、を備える。前記脱穀部は、穀稈から穀粒を分離する。前記グレンタンクは、前記脱穀部で分離された穀粒を貯留する。前記グレンタンクは、機体左右一側を開放させる構成である。前記サイドカバーは、前記グレンタンクの開放部分の一部を覆う。前記サイドカバーは、取外し可能である。前記コンバインは、前記サイドカバーを取り外すことで形成される開口の縁部に配置される補強部材を備える。前記補強部材の一端は、前記グレンタンクの前面の上下方向における中央又は中央より下の部位に連結される。前記補強部材の他端は、前記グレンタンクの背面の上下方向における中央又は中央より下の部位に連結される。
【００１１】
これにより、サイドカバーが損耗又は破損した場合でも、当該サイドカバーを交換するだけでグレンタンクを修復できるため、グレンタンクの修理を容易に行うことができる。また、グレンタンクの開放部分に補強部材が連結されているため、グレンタンクの強度も良好に維持することができる。更に、グレンタンクにおいて貯留される穀粒の圧力が大きくなる中央又は下部に補強部材が配置されるので、グレンタンクの補強を効果的に行うことができる。
【００１２】
前記のコンバインにおいては、以下の構成とすることが好ましい。即ち、前記グレンタンクの前面には屈曲部が形成される。前記グレンタンクの前面は、前記屈曲部を境にして、当該屈曲部より上側の部分が前方に張り出すように形成されている。前記補強部材の一端は、前記屈曲部に連結される。
【００１３】
これにより、グレンタンクの前面を張り出させた分だけ、グレンタンクの容量を増加することができる。また、応力が集中し易い屈曲部を補強部材で補強することができ、グレンタンクの剛性を効果的に向上させることができる。
【００１４】
前記のコンバインにおいては、前記補強部材は、一端と他端とで高さが異なるように配置されていることが好ましい。
【００１５】
これにより、補強部材がグレンタンクに対して斜めに連結されるので、グレンタンクが撓みにくくなる。
【００１６】
前記のコンバインにおいては、以下の構成とすることが好ましい。即ち、前記補強部材は、前記グレンタンクの開放部分を上下方向に分割するように構成される。前記サイドカバーは、前記補強部材で分割された開放部分を覆うように構成される。前記サイドカバーで覆われない前記開放部分を覆うカバー部材を備える。
【００１７】
これにより、サイドカバーやカバー部材をそれぞれ個別に交換できるので、グレンタンクが損耗又は破損した場合の修理が容易になる。
【００１８】
前記のコンバインにおいては、前記グレンタンクに穀粒を投入する投入口は、前記サイドカバーの下縁より高い位置に配置されることが好ましい。
【００１９】
これにより、投入口からグレンタンクに投入される穀粒が当たり易くなる第１サイドカバーを交換可能に構成されているので、穀粒の衝突による損耗に対応したメンテナンスを低コストで行うことができる。
【００２０】
前記のコンバインにおいては、以下の構成とすることが好ましい。即ち、前記グレンタンクの前面に屈曲部が形成される。前記グレンタンクの背面に第２屈曲部が形成される。前記補強部材の一端は、前記屈曲部に連結される。前記補強部材の他端は、前記第２屈曲部に連結される。
【００２１】
これにより、グレンタンクの前面及び背面にそれぞれ屈曲部を設けることで、グレンタンクの容量を容易に増加させることができる。また、補強部材が前面及び背面の屈曲部同士を補強するように接続するため、グレンタンクの剛性を効果的に向上させることができる。
【図面の簡単な説明】
【００２２】
【図１】本発明の一実施形態に係るコンバインの左側面を示す図。
【図２】コンバインの右側面を示す図。
【図３】コンバインの背面図。
【図４】グレンタンクから第２サイドカバー及び第３サイドカバーを取り外した状態を示す斜視図。
【図５】図４の状態から第１サイドカバーを取り外した状態を示す斜視図。
【図６】図５の状態から内側下カバーを取り外した状態を示す側面図。
【図７】グレンタンクを機体に対して旋回させる様子を示す平面図。
【図８】グレンタンクの変形例を示す側面図。
【発明を実施するための形態】
【００２３】
以下、本発明の好適な実施形態について図面を参照しながら説明する。図１は本発明の実施形態に係るコンバイン１の左側面を示す図である。図２は、コンバイン１の右側面を示す図である。図３は、コンバイン１の背面図である。なお、以下の説明で「左」及び「右」というときは、コンバイン１が刈取時に進む方向に向かって左及び右を意味するものとする。
【００２４】
本実施形態のコンバイン１は、いわゆる自脱型コンバインとして構成されている。図１に示すように、本実施形態のコンバイン１は、稲、麦等の穀稈２を刈り取るための刈取部１０を機体本体の前方に備えている。また、コンバイン１の機体の下部には、機体を走行させるためのクローラ部２０が設けられている。
【００２５】
刈取部１０の後方であって、コンバイン１の左側には、刈取部１０で刈り取った穀稈２を脱穀するための脱穀装置（脱穀部）３０と、当該脱穀装置３０で脱穀された穀粒を選別して取り出す選別装置４０と、が設けられている。
【００２６】
コンバイン１の上部右側には、穀粒を貯留するためのグレンタンク５０が設けられている。選別装置４０で選別された穀粒は、揚穀コンベア４１によりグレンタンク５０まで搬送され、当該グレンタンク５０に貯留される。また、コンバイン１は、グレンタンク５０内の穀粒を外部に排出するための排出オーガ６０を備えている。
【００２７】
グレンタンク５０の前方には、オペレータが搭乗するための運転部７０が設けられている。運転部７０には、運転操作部７２、及びオペレータが座るための運転座席７３等が設けられている。オペレータは、運転操作部７２を操作することにより、コンバイン１の刈取作業や走行等の各種の指示を行うように構成されている。
【００２８】
次に、穀粒が選別装置４０から搬送されてグレンタンク５０に投入されるまでの構成を説明する。
【００２９】
選別装置４０で選別された穀粒（一番選別物）は、選別装置４０の下部に備えられた図略のコンベア機構により、上下方向に配置された揚穀コンベア４１の下端部まで搬送される。
【００３０】
図２及び図３に示すように、揚穀コンベア４１には揚穀スクリュー４１ａが備えられている。揚穀スクリュー４１ａは、エンジン８０の動力により回転し、穀粒を上方へ搬送する。
【００３１】
揚穀コンベア４１の上端は、グレンタンク５０の側部に形成された投入筒４２を介して、当該グレンタンク５０の内部空間と接続されている。また、揚穀スクリュー４１ａが備える回転軸の上端には、図略の回転板が取り付けられている。回転板は、揚穀スクリュー４１ａとともに回転し、穀粒を投入筒４２へ向けて送り出して、投入筒４２の開口である投入口４３からグレンタンク５０に投入する。
【００３２】
次に、グレンタンク５０内の穀粒が排出オーガ６０によって排出されるまでの構成を説明する。
【００３３】
グレンタンク５０の底部には、底コンベア５１が配置されている。この底コンベア５１は、機体前後方向に配置された軸を中心として回転する底スクリュー５１ａを備えている。底スクリュー５１ａは、エンジン８０の動力により回転し、穀粒を後方へ搬送する。
【００３４】
排出オーガ６０は、グレンタンク５０の後方に配置される縦オーガ筒６０ａと、縦オーガ筒６０ａの上端に接続される横オーガ筒６０ｂと、を備える。縦オーガ筒６０ａの下端部は、底コンベア５１の後端部に接続されている。縦オーガ筒６０ａの内部には縦スクリュー６０ｃが配置され、横オーガ筒６０ｂの内部には横スクリュー６０ｄが配置される。
【００３５】
底スクリュー５１ａと縦スクリュー６０ｃとの間、及び、縦スクリュー６０ｃと横スクリュー６０ｄとの間は、それぞれ図略のべべルギアにより連結される。従って、縦スクリュー６０ｃ及び横スクリュー６０ｄは、底スクリュー５１ａから動力が伝達されて回転する。
【００３６】
この構成で、底スクリュー５１ａの回転によってグレンタンク５０の後方に搬送された穀粒は、縦スクリュー６０ｃによって上方へ搬送された後、横スクリュー６０ｄによって横オーガ筒６０ｂの先端まで搬送され、排出口から排出される。
【００３７】
次に、グレンタンク５０の構成を詳しく説明する。
【００３８】
図２に示すように、コンバイン１の後部右側に露出するようにして、第１サイドカバー（サイドカバー）５４と、第２サイドカバー５５と、第３サイドカバー６１と、縦サイドカバー６３と、が配置されている。第１サイドカバー５４、第２サイドカバー５５、第３サイドカバー６１及び縦サイドカバー６３は、何れもグレンタンク５０に取り付けられている。
【００３９】
第１サイドカバー５４は、グレンタンク５０の外面に露出すると同時に、当該グレンタンク５０の内壁を形成している。そして、当該グレンタンク５０に穀粒を投入する投入口４３は、第１サイドカバー５４よりやや上方（第１サイドカバー５４の下縁より上方）に配置されるとともに、第１サイドカバー５４の内面と略対面するように、右方に向けられている。従って、投入口４３からグレンタンク５０に投入される穀粒は、その多くが第１サイドカバー５４の内面に当たり、長期間の使用に伴って損耗が進行するおそれがある。
【００４０】
そこで本実施形態では、第１サイドカバー５４だけを容易に交換できるように構成されている。
【００４１】
以下、第１サイドカバー５４を交換する方法を詳細に説明する。グレンタンク５０の右側面を覆うカバーは、第３サイドカバー６１、第１サイドカバー５４、及び第２サイドカバー５５である（なお、縦サイドカバー６３は、グレンタンク５０の背面にヒンジ６４，６５を介して取り付けられている）。
【００４２】
そして、上側の第３サイドカバー６１と下側の第２サイドカバー５５は、後述の固定部材でグレンタンク５０に引っ掛けることで固定されている。従って、第３サイドカバー６１は持ち上げることで取り外すことができ、第２サイドカバー５５は取手５５ａに手を掛けて上げることで取り外すことができる。
【００４３】
図４には、グレンタンク５０から第３サイドカバー６１及び第２サイドカバー５５を取り外した状態が示されている。グレンタンク５０は、図４に示すように、前面板９１と、背面板９２と、左側面板９３と、コンベア樋９４と、天板９５と、を備えている。
【００４４】
前面板９１、背面板９２、及び左側面板９３は、グレンタンク５０の縦壁を構成している。左側面板９３には、前述した投入筒４２が固定されている。コンベア樋９４はグレンタンク５０の底部に配置され、このコンベア樋９４に前記底コンベア５１が配置される。天板９５は、グレンタンク５０の天井壁を構成している。
【００４５】
グレンタンク５０の右側面は、第１サイドカバー５４のほか、内側上カバー８１と、内側下カバー（カバー部材）８２と、によって覆われている。第１サイドカバー５４、内側上カバー８１、及び内側下カバー８２は、グレンタンク５０の内壁を形成している。内側上カバー８１は第１サイドカバー５４の上方に配置され、内側下カバー８２は第１サイドカバー５４の下方に配置されている。
【００４６】
そして、第３サイドカバー６１を取り外すことで内側上カバー８１が露出され、第２サイドカバー５５を取り外すことで内側下カバー８２が露出される。内側上カバー８１には、第３サイドカバー６１を引っ掛けて固定するための固定部材８６が配置され、内側下カバー８２には、第２サイドカバー５５を引っ掛けて固定するための固定部材８７が配置される。
【００４７】
そして、第３サイドカバー６１及び第２サイドカバー５５を取り外すことで、第１サイドカバー５４の上縁及び下縁が露出される。この上縁及び下縁に配置されている図略のボルト（締結具）を外すとともに、第１サイドカバー５４の前縁及び後縁の図略のボルトを外すことで、第１サイドカバー５４を取り外すことができる。
【００４８】
図５には、第１サイドカバー５４を取り外した状態が示されている。これにより、グレンタンク５０の右側面の上半部を開放して、グレンタンク５０の内部のメンテナンスを容易に行うことができる。また、上述したとおり、損耗し易い第１サイドカバー５４だけを取り外して交換できるので、メンテナンスの費用及び手間を低減できる。
【００４９】
なお、内側上カバー８１及び内側下カバー８２もグレンタンク５０の本体にボルトで固定されているので、ボルトを外すことで取り外すことができる。図６には、内側下カバー８２を取り外した状態が示されている。これにより、グレンタンク５０の右側面の下半部も開放されるので、底コンベア５１（底スクリュー５１ａ）等のメンテナンスが行い易くなる。
【００５０】
図５及び図６に示すように、グレンタンク５０を構成する前面板９１の右端部と、背面板９２の右端部と、を繋ぐようにして、前後方向に細長い補強部材５６が設置されている。補強部材５６の前端部は、グレンタンク５０の前面板９１の上下方向中央部やや下の部位に連結され、後端部は、背面板９２の上下方向中央部に連結されている。
【００５１】
図５及び図６に示すように、補強部材５６は、第１サイドカバー５４を取り外すことで形成される開口の下縁部に配置されている。言い換えれば、補強部材５６は、第１サイドカバー５４と内側下カバー８２（第２サイドカバー５５）の境界部分に配置される。なお、第１サイドカバー５４を取り付けた状態では、図４に示すように、補強部材５６は第１サイドカバー５４の下縁部で覆われ、殆ど露出しない。
【００５２】
この構成により、グレンタンク５０の右側部に開放部分を設けたとしても、補強部材５６をグレンタンク５０の右側部に設置することによって、グレンタンク５０の強度を維持することができる。また、貯留される穀粒の圧力は、グレンタンク５０の上側より下側の方が大きくなるが、補強部材５６をグレンタンク５０の中央又はやや下側に配置することによって、グレンタンク５０を効果的に補強することができる。
【００５３】
図２及び図６に示すように、グレンタンク５０の前面板９１は、上下方向中央よりやや下側の部分において屈曲しており、この屈曲部９１ａを境にして、前面板９１の上側がエンジン８０の上方の空間に（前方に）張り出している。これにより、グレンタンク５０の容量を大きくすることができる。そして、補強部材５６の前端は、グレンタンク５０の前面板９１において応力が集中し易い前記屈曲部９１ａに接続されている。従って、グレンタンク５０の剛性を効果的に向上させることができる。
【００５４】
また、補強部材５６は前端から後端に近づくに従って位置が高くなるように配置されており、グレンタンク５０に対して斜めに連結された状態となっている。これにより、グレンタンク５０が撓みにくくなっている。また、補強部材５６には第１サイドカバー５４が固定されているので、グレンタンク５０の強度の更なる向上が実現されている。
【００５５】
補強部材５６は、グレンタンク５０の右側の開放部分を上下に分割するように配置されている。そして、分割された上半部は第１サイドカバー５４で覆われ、下半部は内側下カバー８２で覆われる。これにより、第１サイドカバー５４や内側下カバー８２を取り外したときに、補強部材５６が邪魔にならないように大きく開放させることができる。
【００５６】
次に、グレンタンク５０をコンバイン１の機体から右方に開くように旋回させるための構成を説明する。
【００５７】
図５等に示すように、グレンタンク５０の背面板９２の上部には第１回動筒９６が取り付けられ、背面板９２の下部には第２回動筒９７が取り付けられる。２つの回動筒は、縦オーガ筒６０ａの外側に被せられ、回転可能に構成されている。
【００５８】
これにより、グレンタンク５０は、縦オーガ筒６０ａの軸線を中心として左右方向に旋回可能に支持されており、図７に示すように右側に開くことが可能になっている。これにより、グレンタンク５０や周辺部のメンテナンスを容易に行うことができる。
【００５９】
図５等に示すように、縦サイドカバー６３は、第１サイドカバー５４、第２サイドカバー５５及び第３サイドカバー６１の後方に配置されている。縦サイドカバー６３は、縦オーガ筒６０ａを覆うように、後端部が機体中央側にＬ字状に曲げられている。縦サイドカバー６３は、縦オーガ筒６０ａ等が外部からの衝撃により破損することを防止している。
【００６０】
また、縦サイドカバー６３と、グレンタンク５０の背面板９２と、の間には、ヒンジ６４，６５が備えられている。これにより、上下方向の軸を中心にして縦サイドカバー６３を外側に開くことができるので、縦オーガ筒６０ａ等のメンテナンス作業を容易に行うことができる。
【００６１】
そして、図７で説明したようにグレンタンク５０を外側に旋回させる際には、縦サイドカバー６３を予めグレンタンク５０の右側面に対してヒンジ６４，６５を境に屈曲させておくことで、縦サイドカバー６３が縦オーガ筒６０ａ等と干渉してしまうことを防止し、グレンタンク５０を大きく旋回させることができる。
【００６２】
以上に説明したように、本実施形態のコンバイン１は、脱穀装置３０と、グレンタンク５０と、第１サイドカバー５４と、を備える。脱穀装置３０は、穀稈から穀粒を分離する。グレンタンク５０は、脱穀装置３０で分離された穀粒を貯留するものであり、機体左右一側を開放させるように構成されている。第１サイドカバー５４は、グレンタンク５０の開放部分の一部を覆うとともに、取外し可能に構成されている。コンバイン１は、第１サイドカバー５４を取り外すことで形成される開口の縁部に配置される補強部材５６を備える。補強部材５６の前端部は、グレンタンク５０の前面の上下方向における中央より下の部位に接続される。補強部材５６の後端部は、グレンタンク５０の背面の上下方向における中央の部位に接続される。
【００６３】
これにより、第１サイドカバー５４が損耗した場合でも、第１サイドカバー５４だけを取り外して交換できるので、メンテナンスのコスト及び手間を低減できる。また、補強部材５６はグレンタンク５０の開放部分を補強するので、グレンタンク５０の強度を良好に維持することができる。更に、グレンタンク５０において貯留される穀粒の圧力が大きくなる中央又は下部に補強部材５６が配置されるので、グレンタンク５０の補強を効果的に行うことができる。
【００６４】
また、本実施形態のコンバイン１において、グレンタンク５０の前面（前面板９１）には屈曲部９１ａが形成される。グレンタンク５０の前面は、屈曲部９１ａを境にして、当該屈曲部９１ａより上側の部分が前方に張り出すように形成されている。補強部材５６の前端は、屈曲部９１ａに接続される。
【００６５】
これにより、グレンタンク５０の上側が前方に張り出す形状となるため、グレンタンク５０の容量を増やすことができる。また、応力が集中し易い屈曲部９１ａに補強部材５６が連結されるので、グレンタンク５０の剛性を効果的に向上させることができる。
【００６６】
また、本実施形態のコンバイン１において、補強部材５６は、前端部と後端部とで高さが異なるように配置されている。
【００６７】
これにより、補強部材５６がグレンタンク５０に対して斜めに連結されるので、グレンタンク５０の撓みを防止できる。
【００６８】
また、本実施形態のコンバイン１において、補強部材５６は、グレンタンク５０の開放部分を上下方向に分割するように構成される。第１サイドカバー５４は、補強部材５６で分割された開放部分を覆うように構成される。また、コンバイン１は、第１サイドカバー５４で覆われない開放部分を覆う内側下カバー８２を備える。
【００６９】
これにより、第１サイドカバー５４や内側下カバー８２をそれぞれ個別に交換できるので、グレンタンク５０が損耗又は破損した場合の修理が容易になる。
【００７０】
また、本実施形態のコンバイン１において、グレンタンク５０に穀粒を投入する投入口４３は、第１サイドカバー５４の下縁より高い位置に配置されている。
【００７１】
これにより、投入口４３からグレンタンク５０に投入される穀粒が当たり易くなる第１サイドカバー５４を交換可能に構成されているので、穀粒の衝突による損耗に対応したメンテナンスを低コストで行うことができる。
【００７２】
次に、図８を参照して、上記実施形態の変形例を説明する。
【００７３】
図８に示す変形例においては、グレンタンク５０ｘの背面板９２に屈曲部（第２屈曲部９２ａ）を設けて、この第２屈曲部９２ａと、前面板９１の屈曲部９１ａと、を補強部材５６で連結するように構成している。これにより、グレンタンク５０ｘの剛性を保ちながら、グレンタンク５０ｘの容量を増加させることができる。
【００７４】
以上に説明したように、本変形例のコンバインにおいては、グレンタンク５０ｘの前面板９１に屈曲部９１ａが形成され、背面板９２に第２屈曲部９２ａが形成される。補強部材５６の前端は、屈曲部９１ａに連結される。補強部材５６の後端は、第２屈曲部９２ａに連結される。
【００７５】
これにより、グレンタンク５０ｘの前面及び背面に屈曲部９１ａ，９２ａを設けることで、グレンタンク５０ｘにより多くの穀粒を貯留できる。また、補強部材５６が前面及び背面の屈曲部９１ａ，９２ａ同士を補強するように接続するため、グレンタンク５０ｘの剛性を効果的に向上させることができる。
【００７６】
以上に本発明の好適な実施の形態を説明したが、上記の構成は例えば以下のように変更することができる。
【００７７】
上記の実施形態では、グレンタンク５０の右側部の開放部分を第１サイドカバー５４と、内側下カバー８２と、で覆う構成であるが、３以上のカバー部材でグレンタンク５０を覆う構成でも良い。
【００７８】
上記の実施形態では、補強部材５６は第１サイドカバー５４と内側下カバー８２との境界部分に配置されているが、例えば第１サイドカバー５４と内側上カバー８１との境界部分に補強部材５６を設置しても良い。
【００７９】
また、上記の実施形態では補強部材５６は前下がり状となるように配置されているが、前上がり状に配置しても良い。
【００８０】
上記の実施形態では、グレンタンク５０の右側部に１つの補強部材５６を設けることで、グレンタンク５０の強度を保つ構成であるが、２以上の補強フレームを設けて、更にグレンタンク５０の強度を上げる構成でも良い。また、２以上の補強部材の方向を異ならせて、例えば、たすき掛けになるようにグレンタンク５０の右側部に配置しても良い。
【００８１】
上記の実施形態では、グレンタンク５０の開放部分において、第１サイドカバー５４の上側は、内側上カバー８１と第３サイドカバー６１とで２重に覆われているが、例えば第３サイドカバー６１を省略しても良い。同様に、第１サイドカバー５４の下側は、内側下カバー８２と第２サイドカバー５５とで２重に覆われているが、例えば第２サイドカバー５５を省略しても良い。
【００８２】
上記の実施形態では、グレンタンク５０を電動モータにより旋回させているが、手動でグレンタンク５０の位置変更を行う構成でも良い。
【符号の説明】
【００８３】
３０  脱穀装置（脱穀部）
４０  選別装置
５０  グレンタンク
５４  第１サイドカバー（サイドカバー）
５６  補強部材
８２  内側下カバー（カバー部材）
９１  前面板
９１ａ  屈曲部
９２  背面板
９２ａ  第２屈曲部
【図１】
2016067221.tif 000003
【図２】
2016067221.tif 000004
【図３】
2016067221.tif 000005
【図４】
2016067221.tif 000006
【図５】
2016067221.tif 000007
【図６】
2016067221.tif 000008
【図７】
2016067221.tif 000009
【図８】
2016067221.tif 000010